(57)【要約】【課題】蒸気を当てる場合は頭部に直接当てずに、被施術者が快適に利用でき、かつ、冷風を当てる場合は頭部に直接当てることのできる、冷却機能を備えた毛髪加湿器を提供することを課題とする。【解決手段】被施術者の頭部を覆うフードの内部に蒸気や空気を供給するための噴出口３１を備え、この噴出口３１は、異なる方向に向けられた２種の噴出口３１ａ，３１ｂからなるものであり、このうち、少なくとも一方側３１ｂには、通常は閉じられたものであって、噴出口３１ｂから噴出しようとする蒸気や空気の圧力に応じて開放される閉止弁３２を備えるものである。これにより、蒸気と冷風のそれぞれを圧力を変えて供給することによって、最も適した状態でフードの内部に噴出させることができ、被施術者が快適な状態のままで効果的な毛髪の処理を行なうことができる。【選択図】          図３
2004283401.tif 000002
【特許請求の範囲】
【請求項１】
被施術者（Ｐ）の頭部を覆うようにフード（２）を配位し、このフード（２）の内部に蒸気や空気を供給することにより毛髪処理を促進する、空冷機能を備えた毛髪加湿器（１０）において、
蒸気や空気をフード（２）の内部に噴出させるための噴出口（３１）を備え、
この噴出口（３１）に対して蒸気を供給するための蒸気発生器（１１）を備え、蒸気発生器（１１）から噴出口（３１）へ至るまでの１本の気体通路（１２）を形成したものであり、
噴出口（３１）は、異なる方向に向けられた２種の噴出口（３１ａ，３１ｂ）からなるものであり、
上記の２種の噴出口（３１ａ，３１ｂ）のうち、少なくとも一方側（３１ｂ）には閉止弁（３２）を備えるものであり、
この閉止弁（３２）は通常は閉じられたものであって、噴出口（３１ｂ）から噴出しようとする蒸気や空気の圧力に応じて開放されることを特徴とする、空冷機能を備えた毛髪加湿器。
【請求項２】
噴出口（３１ａ，３１ｂ）は、気体通路（１２）の先端に配位されるノズル（３）に設けられたものであって、
上記の閉止弁（３２）は板状のものであり、ノズル（３）の側面（３４）に対して回動可能に支持されており、
閉止弁（３２）は、噴出口（３１ｂ）を閉鎖する方向に付勢されたものであることを特徴とする、請求項１に記載の空冷機能を備えた毛髪加湿器。
【請求項３】
ノズル（３）が筒状のものであって、
ノズル（３）の先端側の外周面（３３）には側方用噴出口（３１ａ）を備え、
ノズル（３）の先端側の端面（３４）には端面側噴出口（３１ｂ）を備え、
閉止弁（３２）を端面側噴出口（３１ｂ）を覆うようにして設けたことを特徴とする、請求項２に記載の空冷機能を備えた毛髪加湿器。
【発明の詳細な説明】
【０００１】
【発明の属する技術分野】
本願発明は、理美容室において、パーマや毛染めやトリートメント等の毛髪処理を行う際に、被施術者の頭部に蒸気を当てて毛髪処理を促進するために用いる空冷機能を備えた毛髪加湿器に関するものである。
【０００２】
【従来の技術】
【特許文献１】
実公平７−１９３６２号公報
【０００３】
従来から、被施術者の頭部に蒸気を当てて毛髪処理を促進するために、図４に示すような、半球状のフード１０１を備えた毛髪加湿器１００が用いられている。これは、本体部１０２の内部に配位された蒸気発生器により発生した蒸気をフード１０１の内部に導いて、フード１０１に配位した被施術者の頭部に供給するものである。
この毛髪加湿器１００においては、図示はしていないが、フード１０１の内部に、蒸気発生器で発生させた蒸気を噴出させるためのノズルが設けられている。
【０００４】
上記のノズルの一例として、本願出願人による実公平７−１９３６２号公報（特許文献１）がある。これは、フード１０１を用いる毛髪加湿器１００に適用するものではなく、軟質樹脂などからなり、被施術者の頭部に被せたキャップの内部に蒸気を噴出させるためのものであるが、同一の機能を有するものであるため、これを取り上げて説明する。
これは、筒体の側面と端面とにそれぞれ噴出口を設けたものであり、筒体の内部に供給される上記を各噴出口から噴出させることができるものである。
【０００５】
【発明が解決しようとする課題】
しかしながら、端面側の噴出口から噴出する蒸気は直進し、被施術者の頭部に直接当たるため、被施術者が熱さを感じるなどの不快感を与えることがあった。
一方、パーマの施術終了後などにおいて、毛髪に冷風を当てて冷却することがあるが、この場合は、蒸気の場合とは異なり、毛髪に直接冷風を当てることが処理促進の上で好ましい。
従来においては、上記のことを満足するノズルが存在しなかった。
【０００６】
上記の問題点に鑑み本願発明は、蒸気を当てる場合は頭部に直接当てずに、被施術者が快適に利用でき、かつ、冷風を当てる場合は頭部に直接当てることのできる、冷却機能を備えた毛髪加湿器を提供することを課題とする。
【０００７】
【課題を解決するための手段】
上記課題を解決するために、本願の請求項１に係る発明は、被施術者Ｐの頭部を覆うようにフード２を配位し、このフード２の内部に蒸気や空気を供給することにより毛髪処理を促進する、空冷機能を備えた毛髪加湿器１０において、蒸気や空気をフード２の内部に噴出させるための噴出口３１を備え、この噴出口３１に対して蒸気を供給するための蒸気発生器１１を備え、蒸気発生器１１から噴出口３１へ至るまでの１本の気体通路１２を形成したものであり、噴出口３１は、異なる方向に向けられた２種の噴出口３１ａ，３１ｂからなるものであり、上記の２種の噴出口３１ａ，３１ｂのうち、少なくとも一方側３１ｂには閉止弁３２を備えるものであり、この閉止弁３２は通常は閉じられたものであって、噴出口３１ｂから噴出しようとする蒸気や空気の圧力に応じて開放されることを特徴とする、空冷機能を備えた毛髪加湿器を提供する。
【０００８】
又、本願の請求項２に係る発明は、請求項１に係る発明において、噴出口３１ａ，３１ｂは、気体通路１２の先端に配位されるノズル３に設けられたものであって、上記の閉止弁３２は板状のものであり、ノズル３の側面３４に対して回動可能に支持されており、閉止弁３２は、噴出口３１ｂを閉鎖する方向に付勢されたものであることを特徴とする、空冷機能を備えた毛髪加湿器を提供する。
【０００９】
又、本願の請求項３に係る発明は、請求項２に係る発明において、ノズル３が筒状のものであって、ノズル３の先端側の外周面３３には側方用噴出口３１ａを備え、ノズル３の先端側の端面３４には端面側噴出口３１ｂを備え、閉止弁３２を端面側噴出口３１ｂを覆うようにして設けたことを特徴とする、空冷機能を備えた毛髪加湿器を提供する。
【００１０】
上記の各発明にあっては、蒸気や空気をフード２の内部に噴出させるための噴出口３１が、異なる方向に向けられた２種の噴出口３１ａ，３１ｂからなるものであり、その一方側の噴出口３１ｂが噴出しようとする蒸気や空気の圧力に応じて開放される閉止弁３２を備える。これにより、蒸気と冷風のそれぞれを圧力を変えて供給することによって、最も適した状態でフード２の内部に噴出させることができ、被施術者Ｐが快適な状態のままで効果的な毛髪の処理を行なうことができる。
【００１１】
特に、請求項２又は３に係る発明にあっては、閉止弁３２は板状のものであり、ノズル３の側面（端面）３４に対して回動可能に支持され、噴出口３１ｂを閉鎖する方向に付勢されたものである。このように、簡素な構造の閉止弁３２により、被施術者Ｐが快適な状態のままで、しかも効果的に毛髪の処理を行なうことができるという点で多大な貢献をなすことができる。
【００１２】
【発明の実施の形態】
以下、図面に基づき、本願発明の実施の一例を取り上げて説明する。図１，図２は本例の毛髪加湿器の構造及び使用の状態を示す説明図であり、図３は本例の毛髪加湿器におけるフード側ノズルを示す説明図である。
【００１３】
本例の毛髪加湿器１０は本体部１とフード２とを備えるものである。本体部１は、詳細は図示しないが、床置きのスタンド６により支持されており、被施術者Ｐの頭部の位置に合わせて、フード２を適当な高さに調節することができる。なお、本願発明の毛髪加湿器１０は床置きのスタンド６による支持に限られるものではなく、天井や壁面に取り付けたアームにより支持するものとしても良い。
【００１４】
フード２は被施術者Ｐの頭部を上方から覆う部分であって、本体部１に水平方向に配位した回動軸７を介し、本体部１に対して回動可能に支持されており、これにより、フード２を使用して、後述するフード用噴出口３１からフード２の内部に蒸気を供給して使用する際には、図１に示すように前方に倒して使用することができ、フード２を使用せずに、外部用噴出口４１からキャップ４に蒸気を供給して使用する際には、図２に示すように上方に跳ね上げることができる。
【００１５】
フード２は、枠部２１と蓋部２２とからなる。枠部２１は、被施術者Ｐの頭部に被せた際において、頭部の前後左右に配位される部分である。枠部２１の後端部分は、回動軸７に接続されており、本体部１に対して所定範囲内において回動可能に支持されている。
本例のフード２における枠部２１は、被施術者Ｐの頭部の寸法に比べて、前後方向に大きく形成されたものであり、フード２の全体形状は、従来の毛髪加湿器に比べて扁平なものとなっている。そのため、図３に示すような、従来のフードに比べると、被施術者Ｐの毛髪にロットを巻き付けた場合であっても、被施術者Ｐの頭部をフードの内部に比較的容易に配位させることが可能である。
そして、枠部２１の後端部分には、本体部１に配位された蒸気発生器１１で発生した蒸気をフード２の内部に噴出させるためのフード側ノズル３が設けられている。
【００１６】
また、蓋部２２は、枠部２１の上方を覆うようにして設けられるものであり、枠部２１の上方に突出するように、湾曲して形成されたものである。本例においては、蓋部２２は枠部２１の後端部に回動可能に支持されており、フード２を被施術者の頭部に被せた状態にあっても、枠部２１をそのままの状態にして蓋部２２のみを上方に跳ね上げ、被施術者Ｐの頭部を露出して、施術者が調整することが可能となっている。
【００１７】
本例の毛髪加湿器１０においては、本体部１の蒸気発生器１１で発生させた蒸気を噴出させるための噴出口が２箇所に設けられている。そのうちの一方側は、フード側ノズル３に設けられたフード用噴出口３１であり、フード２の内部に蒸気を供給するものである。
【００１８】
フード側ノズル３は、本例においては略円筒形状のものであり、後述する気体通路１２から分岐したフード用気体通路１２ｂの先端に設けられている。このフード側ノズル３にフード用噴出口３１が形成されている。
【００１９】
フード用噴出口３１は、フード２の内部に被施術者Ｐの頭部を配位した場合において、噴出する蒸気などの気体が直接頭部に当たる位置と、当たらない位置とにそれぞれ配位されている。本例においてフード用噴出口３１は、フード側ノズル３の外周面３３に形成された側方用噴出口３１ａと、端面３４に形成された端面側噴出口３１ｂとからなっている。
端面側噴出口３１ｂには閉止弁３２が設けられている。これは、通常は端面３４に密着しており、端面側噴出口３１ｂから気流が噴出する際に、気流の圧力に応じて端面３４から離反するものである。このため、端面側噴出口３１ａは、フード用気体通路１２ｂを通る気流の圧力によって開閉可能となっている。
そして本例において、フード用気体通路１２ｂを通る蒸気は、この閉止弁３２が端面３４から離反しない程度の圧力で供給されるため、蒸気は端面側噴出口３１ｂからは噴出せず、側方用噴出口３１ａからのみ噴出する。
【００２０】
閉止弁３２は、フード用気体通路１２ｂを通る気流の圧力によって端面側噴出口３１ｂを開閉可能な構造を有するものであり、本例においては、端面側噴出口３１ｂを覆うことのできる形状である板状のものであって、ヒンジ３２ａを介し、図３（Ａ）（Ｂ）に示すように、端面３４に対して回動可能に支持されている。ヒンジ３２ａは、詳細は図示しないが、回動軸と、回動軸を支持する樹脂の小片などの弾性体を備えるものであり、これにより、閉止弁３２を端面３４の方向に付勢し、閉止弁３２にフード用気体通路１２ｂの側から圧力がかからない状態において、端面３４から閉止弁３２が離反しないようになっている。
上記のように、閉止弁３２は簡素な構造ではあるが、被施術者Ｐが快適な状態のままで、しかも効果的に毛髪の処理を行なうことができるという点で多大な貢献をなすものである。
【００２１】
フード側ノズル３に、フード用気体通路１２ｂから蒸気を供給する際には、比較的弱い圧力で供給することにより、図３（Ａ）に示すように、フード用気体通路１２ｂを通る蒸気を、端面側噴出口３１ｂが閉じた状態にある端面３４の内面に当て、側方用噴出口３１ａからのみ蒸気を噴出させることができる。
このように側方用噴出口３１ａからのみ蒸気を噴出させるため（図示における気流Ｆ１）、被施術者Ｐの頭部に回り込むように蒸気を供給でき、頭部に直接蒸気が当たり、被施術者Ｐに熱い思いをさせるなどの不快感を与えることがない。
【００２２】
一方、蒸気を用いた施術が完了した後に毛髪の冷却処理を行なう場合など、蒸気発生器１１を停止して送風のみを行なう際には、蒸気の場合よりも強い圧力でフード側ノズル３に冷風を供給する。これにより、図３（Ｂ）に示すように、空気の圧力で閉止弁３２を押し広げ、端面側噴出口３１ｂからも冷風を噴出させる（図示における気流Ｆ２）。これにより、被施術者Ｐの頭部に冷風を直接当てることができ、効果的な冷却処理を行なうことができる。
【００２３】
上記のように、１つのフード側ノズル３を蒸気と冷風とを兼用することができ、蒸気と冷風のそれぞれを最も適した状態でフード２の内部に噴出させることができ、被施術者Ｐが快適な状態のままで効果的な毛髪の処理を行なうことができる。
【００２４】
蒸気噴出口の他方側は、外部接続部４に設けられた外部用噴出口４１であり、外部に蒸気を取り出すものである。
外部接続部４は本体部１に設けられており、後述する気体通路１２から分岐した外部用気体通路１２ｂの先端に設けられている。そして、蒸気連結部材であるホース５２を連結するための接続機構として、図示はしないが、例えば凸条や凹条が設けられており、ホース５２の端部をワンタッチで取り付けることが可能となっている。
【００２５】
この外部用噴出口４１は、図２に示すように、フード２を上方に跳ね上げて使用する。外部用噴出口４１から噴出する蒸気は、外部接続部４に取り付けたホース５２を通り、被施術者Ｐの頭部に被せたキャップ５１の内部に供給される。キャップ５１は、軟質樹脂シートなどからなる柔軟なもので形成されており、毛髪にロットを巻いた状態であっても、被施術者Ｐの頭部に確実に被せることができ、毛髪に対して充分に蒸気を当てることができる。
【００２６】
本体部１には蒸気発生器１１が設けられている。本例においては、一つの蒸気発生器１１でフード側噴出口３１と外部用噴出口４１の両方に蒸気を供給可能な、共通のものとしている。
本例における蒸気発生器１１は、給水タンク１１ａと蒸気発生釜１１ｂとを有するものである。蒸気発生釜１１ｂには超音波振動子１１ｃが設けられており、この超音波振動子１１ｃが振動することによって、給水タンク１１ａから供給される水分を蒸発させて蒸気とすることができる。そして、図示はしていないが、蒸気発生器１１に設けられたヒータなどによって、毛髪処理の内容に最も適した温度の蒸気とすることができる。
【００２７】
気体通路１２は、上記の蒸気発生器１１で発生させた蒸気を各蒸気噴出口３１，４１まで導くためのものである。この気体通路１２は、１つの蒸気発生器１１につき１系統の気体通路１２が対応するように形成されている。そして、気体通路１２の途中の分岐部１３において各蒸気噴出口３１，４１へ至るように分岐するものであって、蒸気発生器１１から分岐部１３までのメイン気体通路１２ａと、分岐部１３からフード用噴出口４１へ至るフード用気体通路１２ｂと、分岐部１３から外部用噴出口５１へ至る外部用気体通路１２ｃとからなるものである。
【００２８】
分岐部１３には、メイン気体通路１２ａを通る蒸気を、フード用気体通路１２ａか外部用気体通路１２ｂかのいずれかに選択して通すための切換手段としての切換弁１３ａが設けられている。本例においては、分岐部１３の内部において、回動可能に支持された板状の弁体が、分岐部１３におけるフード用気体通路１２ａあるいは外部用気体通路１２ｂの端部の断面を閉鎖できるようになっている。
このように切換弁１３ａを設けることにより、蒸気をフード用噴出口４１か外部用噴出口５１かのいずれかより噴出させるように切り換えが可能となっており、毛髪加湿器１０の使用目的に応じて、容易に切り換えができる。
【００２９】
また、本体部１には、蒸気発生器１１で発生させた蒸気を気体通路１２に供給するための送風機１４が設けられている。この送風機１４は、蒸気発生器１１とは独立して作動可能なものであり、蒸気発生器１１と連動させた際には、気体通路１２に対して蒸気を送ることができ、蒸気発生器１１を停止させ、送風機１４のみを作動させた際には、気体通路１２に冷風を送ることができる。よって、本願発明における気体通路１２は、蒸気と冷風の２種の気体を流すことができる。
【００３０】
なお、本例においては、フード用噴出口３１のうち、上記に説明した端面側噴出口３１ｂの開閉の関係により、気体通路１２に蒸気を送る際には、送風機１４を比較的低速で回転させて、蒸気を比較的低い圧力で気体通路１２に送り込む。また、空気のみを送る場合は、送風機１４を比較的高速で回転させ、空気を比較的高い圧力で気体通路１２に送り込む。
なお、この送風機１４によって発生する気流は、本体部１の内部において、操作パネル１５の基板や、蒸気発生器１１の超音波振動子１１ｃなどの内部機器を冷却するためにも用いられる。
【００３１】
ここで、従来のフードを備えた毛髪加湿器においては、蒸気専用通路と冷風専用通路を、例えば二重管構造などによって分離して設けたものがあった。しかし、このように別々の通路を設けることは、製造コストの面で問題があった。
また、例えば蒸気専用通路のみを使用する際において、一旦フード内に出た蒸気の一部が、冷風専用通路に逆流してしまい、毛髪処理の効率が低下したり、逆流した蒸気が内部の機器を腐蝕させたりする可能性があるため、各通路に、逆流を防止する弁を取り付ける必要があった。
これに対して、本願発明における気体通路１２は、蒸気用の通路と冷風用の通路を兼用するものであって、一重の管で良いため、製造コストの面で優れるものであり、また、蒸気噴出口４１からフード内に出た蒸気は、逆流することなく毛髪に作用させることができるために、毛髪処理の効率を高めることができる。また、蒸気の逆流により内部の機器を腐蝕させることもない。
【００３２】
上記の他に、本体部１には操作パネル１５が設けられており、電源、温度設定、運転モードなどの操作スイッチや、運転状況の表示ランプや、インジケータ類などが配置されている。また、操作を自動的に行なうためのタイマーが設けられており、あらかじめ設定した時間蒸気を毛髪に当て、その後冷風を当てるということもできるようになされている。
【００３３】
【発明の効果】
本願発明にあっては、蒸気や空気をフードの内部に噴出させるための噴出口が、異なる方向に向けられた２種の噴出口からなるものであり、その一方側の噴出口が噴出しようとする蒸気や空気の圧力に応じて開放される閉止弁を備える。これにより、蒸気と冷風のそれぞれを圧力を変えて供給することによって、最も適した状態でフードの内部に噴出させることができ、被施術者が快適な状態のままで効果的な毛髪の処理を行なうことができる。
【００３４】
特に、請求項２又は３に係る発明にあっては、閉止弁は板状のものであり、ノズルの側面（端面）に対して回動可能に支持され、噴出口を閉鎖する方向に付勢されたものである。このように、簡素な構造の閉止弁により、被施術者が快適な状態のままで、しかも効果的に毛髪の処理を行なうことができるという点で多大な貢献をなすことができる。
【図面の簡単な説明】
【図１】本願発明の実施の一例に係る毛髪加湿器において、フードに蒸気を供給して使用する状態を示す説明図である。
【図２】本例の毛髪加湿器において、キャップに蒸気を供給して使用する状態を示す説明図である。
【図３】本例の毛髪加湿器のノズルを示すものであり、（Ａ）は端面側噴出口が閉じた状態を示し、（Ｂ）は端面側噴出口が開いた状態を示す。
【図４】従来の毛髪加湿器を示す説明図である。
【符号の説明】
１０      毛髪加湿器
１１      蒸気発生器
１２      気体通路
２        フード
３        ノズル、フード側ノズル
３１      フード用噴出口
３１ａ    側方用噴出口
３１ｂ    端面側噴出口
３２      閉止弁
３３      ノズルの外周面
３４      ノズルの側面、端面
Ｐ        被施術者
【図１】
2004283401.tif 000003
【図２】
2004283401.tif 000004
【図３】
2004283401.tif 000005
【図４】
2004283401.tif 000006